(57)【要約】【課題】画期的に小面積化が可能なディスプレイパネルの駆動装置および方法を提供する。【解決手段】本発明のディスプレイパネルの駆動装置は、時変信号を生成する時変信号生成部と、パルス信号を生成する共通パルス信号生成部と、前記時変信号、前記パルス信号、およびビデオデータが入力され、該当ビデオデータに対応する階調電圧を選択する選択部と、選択部の出力をバッファリングして伝達するバッファ部と、を備え、前記選択部と前記バッファ部は、複数のチャネル内に各々備えられ、前記時変信号と前記パルス信号は、各チャネルの前記選択部に共通に入力されることを特徴とする。【選択図】図４
2011065156.tif 000002
【特許請求の範囲】
【請求項１】
時変信号を生成する時変信号生成部と、
パルス信号を生成する共通パルス信号生成部と、
前記時変信号、前記パルス信号、およびビデオデータが入力され、該当ビデオデータに対応する階調電圧を選択する選択部と、
選択部の出力をバッファリングして伝達するバッファ部と、
を備え、
前記選択部と前記バッファ部は、複数のチャネル内に各々備えられ、
前記時変信号と前記パルス信号は、各チャネルの前記選択部に共通に入力されることを特徴とするディスプレイパネルの駆動装置。
【請求項２】
前記時変信号生成部は、
すべての階調電圧の範囲を複数個に分割し、分割された各電圧範囲に対応する複数個の時変信号を生成することを特徴とする請求項１に記載のディスプレイパネルの駆動装置。
【請求項３】
前記時変信号生成部は、
すべての階調電圧の範囲を順次表現する単一の時変信号を生成することを特徴とする請求項１に記載のディスプレイパネルの駆動装置。
【請求項４】
前記共通パルス信号生成部は、
各パルス信号のオン・オフデューティ比を調節するレジスタを備えることを特徴とする請求項１に記載のディスプレイパネルの駆動装置。
【請求項５】
複数の時変信号を生成する時変信号生成部と、
複数のパルス信号を生成する共通パルス信号生成部と、
サンプリングされたビデオデータを出力するサンプリング手段と、
前記サンプリングされたビデオデータのうちの下位ビットデータに基づいて前記複数のパルス信号のうちから何れか１つを選択するパルス選択部と、
前記サンプリングされたビデオデータのうちの上位ビットデータに基づいて前記複数の時変信号のうちから何れか１つを選択し、選択されたパルス信号に基づいて時変信号をスイッチングし、スイッチングされた前記時変信号を伝達する時変信号選択部と、
を備えることを特徴とするディスプレイパネルの駆動装置。
【請求項６】
前記サンプリング手段、前記パルス選択部、および前記時変信号選択部は、複数のチャネル内に各々備えられ、
前記時変信号生成部と前記共通パルス信号生成部は、すべてのチャネルに対応して共通に構成されることを特徴とする請求項５に記載のディスプレイパネルの駆動装置。
【請求項７】
前記サンプリングされたビデオデータのうちの上位ビットデータと前記選択されたパルス信号の電圧レベルをシフトして前記時変信号選択部に伝達するレベルシフターをさらに備えることを特徴とする請求項５に記載のディスプレイパネルの駆動装置。
【請求項８】
前記複数のパルス信号は、電圧レベルの信号であり、
前記時変信号選択部は、選択された時変信号を電流レベルに変換する電圧・電流変換部をさらに備えることを特徴とする請求項５に記載のディスプレイパネルの駆動装置。
【請求項９】
前記パルス信号は、
初期時点から該当階調電圧に到達するまでイネーブルされる信号であるか、または該当階調電圧に到達する特定区間でのみイネーブルされる信号であることを特徴とする請求項５に記載のディスプレイパネルの駆動装置。
【請求項１０】
前記共通パルス信号生成部は、各パルス信号のオン・オフデューティ比を調節するレジスタを備えることを特徴とする請求項５に記載のディスプレイパネルの駆動装置。
【請求項１１】
単一の時変信号を生成する時変信号生成部と、
複数のパルス信号を生成する共通パルス信号生成部と、
サンプリングされたビデオデータを出力するサンプリング手段と、
前記サンプリングされたビデオデータによって前記複数のパルス信号のうち何れか１つを選択して出力するパルス選択部と、
選択されたパルス信号のイネーブル区間で前記時変信号をスイッチングして伝達するスイッチと、
を備えることを特徴とするディスプレイパネルの駆動装置。
【請求項１２】
前記サンプリング手段、前記パルス選択部、および前記スイッチング部は、複数のチャネル内に各々備えられ、
前記時変信号生成部と前記共通パルス信号生成部は、複数のチャネルに対応されて共通に構成されることを特徴とする請求項１１に記載のディスプレイパネルの駆動装置。
【請求項１３】
前記選択されたパルス信号の電圧レベルをシフトして前記スイッチに伝達するレベルシフターをさらに備えることを特徴とする請求項１１に記載のディスプレイパネルの駆動装置。
【請求項１４】
前記単一のパルス信号は、電圧レベルの信号であり、
前記時変信号選択部は、選択された時変信号を電流レベルに変換する電圧・電流変換部をさらに備えることを特徴とする請求項１１に記載のディスプレイパネルの駆動装置。
【請求項１５】
前記パルス信号は、
初期時点から該当階調電圧に到達するまでイネーブルされる信号であるか、または該当階調電圧に到達する特定区間でのみイネーブルされる信号であることを特徴とする請求項１１に記載のディスプレイパネルの駆動装置。
【請求項１６】
前記共通パルス信号生成部は、各パルス信号のオン・オフデューティ比を調節するレジスタを備えることを特徴とする請求項１１に記載のディスプレイパネルの駆動装置。
【請求項１７】
サンプリングされたビデオデータのうちの下位ビットデータに基づいて複数のパルス信号のうち何れか１つを選択するステップと、
サンプリングされたビデオデータのうちの上位ビットデータに基づいて複数の時変信号のうち何れか１つを選択するステップと、
選択されたパルス信号に基づいて選択された時変信号をスイッチングして伝達するステップと、
を含むことを特徴とするデジタル／アナログ変換方法。
【請求項１８】
前記選択されたパルス信号の電圧レベルをシフトするステップをさらに含むことを特徴とする請求項１７に記載のデジタル／アナログ変換方法。
【請求項１９】
前記パルス信号各々のオン・オフデューティ比を調節するステップをさらに含むことを特徴とする請求項１７に記載のデジタル／アナログ変換方法。
【請求項２０】
前記選択された時変信号を電圧レベルから電流レベルに変換するステップをさらに含むことを特徴とする請求項１７に記載のデジタル／アナログ変換方法。
【請求項２１】
前記パルス信号は、
初期時点から該当階調電圧に到達するまでイネーブルされる信号であるか、または該当階調電圧に到達する特定区間でのみイネーブルされる信号であることを特徴とする請求項１７に記載のディスプレイパネルの駆動装置。
【請求項２２】
サンプリングされたビデオデータによって複数個のパルス信号のうち何れか１つを選択するステップと、
選択されたパルス信号のイネーブル区間で単一の時変信号をスイッチングしてチャネルバッファ部に伝達されるステップと、
を含むことを特徴とするデジタル／アナログ変換方法。
【請求項２３】
前記選択されたパルス信号の電圧レベルをシフトするステップをさらに含むことを特徴とする請求項２２に記載のデジタル／アナログ変換方法。
【請求項２４】
前記パルス信号各々のオン・オフデューティ比を調節するステップをさらに含むことを特徴とする請求項２２に記載のデジタル／アナログ変換方法。
【請求項２５】
前記単一の時変信号を電圧レベルから電流レベルに変換するステップをさらに含むことを特徴とする請求項２２に記載のデジタル／アナログ変換方法。
【請求項２６】
前記パルス信号は、
初期時点から該当階調電圧に到達するまでイネーブルされる信号であるか、または該当階調電圧に到達する特定区間でのみイネーブルされる信号であることを特徴とする請求項２２に記載のデジタル／アナログ変換方法 。
【発明の詳細な説明】
【技術分野】
【０００１】
本発明は、平板ディスプレイパネルの駆動回路および駆動方法に関するもので、パネル（ｐａｎｅｌ）にイメージデータ（ｉｍａｇｅ  ｄａｔａ）を電圧または電流形態で印加させるデータドライバ（「コラムライン（Ｃｏｌｕｍｎ  ｌｉｎｅ）ドライバ」または「ソースドライバ」ともいう）の効率的な構造について記述している。
【背景技術】
【０００２】
平板ディスプレイパネルのデータドライバは映像信号であるデジタルデータをアナログ信号形態に変更してパネルに伝達する。データドライバ全体構成でデジタルアナログ変換器（ｄｉｇｉｔａｌ−ｔｏ−ａｎａｌｏｇ  ｃｏｎｖｅｒｔｅｒ：以下、ＤＡＣと称する）は非常に大きい面積を占める。このようなＤＡＣの面積を減らすために多様な試みがなされ、そのなかでも時変信号（ＴＶＳ：Ｔｉｍｅ  Ｖａｒｉａｎｔ  Ｓｉｇｎａｌ）を用いたランプ（Ｌａｍｐ）型ＤＡＣは良い代案となった。
【０００３】
ランプ型ＤＡＣは、複数個の階調電圧を表現する時変信号が入力され特定階調を選択して出力する方式で駆動される。
【０００４】
図１Ａは、単一時変信号を用いた従来技術によるドライバであって、主要部分に対する構成図である。単一時変信号を用いたドライバは例えば米国特許ＵＳ  ５、４４０、２５６号（発明の名称：Ｄｕａｌ  Ｍｏｄｅ  Ｔｒａｃｋ  ａｎｄ  Ｈｏｌｄ  Ｄｒｉｖｅｒｓ  ｆｏｒ  Ａｃｔｉｖｅ  ＬＣＤ'Ｓ）に開示されている。
【０００５】
図１Ａを参照すれば、単一時変信号を用いたドライバは、１−ライン時間（Ｌｉｎｅ  Ｔｉｍｅ）の周期ごとに順次にすべての階調電圧を表現する単一時変信号（単一ＴＶＳ）を生成する単一ＴＶＳ生成部１１０と、時変信号が入力され該当ビデオデータ（Ｖｉｄｅｏ  Ｄａｔａ）に対する階調電圧をスイッチングして選択するＮ−ｂｉｔスイッチング部１２０と、Ｎ−ｂｉｔスイッチング部１２０を制御するＮ−ｂｉｔパルス信号生成部１３０と、スイッチング部１２０の出力をパネルのソースラインに出力するチャネルバッファ部１４０と、を備える。
【０００６】
スイッチング部１２０、パルス信号生成部１３０およびチャネルバッファ部１４０は、ドライバのチャネルブロック中の一部構成であってドライバを構成するすべてのチャネルに各々備えられる。単一ＴＶＳ生成部１１０は各々のチャネルに共通に使用される。
【０００７】
図１Ｂは、単一時変信号を用いたドライバの動作を説明するための概念図である。
【０００８】
単一ＴＶＳ生成部１１０は、クロック（ｃｌｏｃｋ）信号に同期され１−ライン時間の間、順次に２Ｎ個の階調電圧を表現する時変信号１６０を生成する。時変信号１６０は、各チャネルのスイッチ部１２０の入力で印加される。パルス信号生成部１３０は、Ｎ−ｂｉｔのパルス信号１７０を生成する。スイッチング部１２０は、２Ｎ個のうち１個のパルス信号に応じてオン・オフすることによってＴＶＳの中で特定階調を選択する。スイッチング部１２０によって選択された階調電圧信号１８０は、チャネルバッファ部１４０を通してパネルのソースラインに伝達される。
【０００９】
しかし、単一時変信号を用いたＤＡＣは、１−ライン時間の間、順次に２Ｎ個の階調を表現しなければならないためパネルロード（Ｐａｎｅｌ  Ｌｏａｄ）を充電する時間が不足することになり、ピクセル（Ｐｉｘｅｌ）間に印加された電圧の誤差が発生することになる。そして、クロック信号に同期されたすべてのチャネルのパルス信号生成器が動作する時に発生する電力消費は大きい。また、各チャネルごとにスイッチとＮ−ｂｉｔパルス信号生成器が追加されチャネル面積が増加する。このような問題は高階調、高解像度、大型ディスプレイになるほど深刻化する。
【００１０】
図２Ａは、複数の時変信号を用いた従来技術によるドライバであって、主要部分に対する構成図である。複数の時変信号を用いたドライバは、例えば韓国登録特許７２７４１０号（発明の名称：複数のランプ信号を用いた平坦ディスプレイパネル駆動用デジタル／アナログ変換器およびその変換方法）に開示されている。
【００１１】
先に言及した問題を改善するために、図２Ａのように複数の時変信号を用いたドライバが提案された。ドライバは、１−ライン時間の周期ごとにすべての階調電圧を１／２Ｍに等分し、各等分された階調電圧範囲に対応される複数個（２Ｍ個）の時変信号を生成する複数ＴＶＳ生成部２１０を含む。さらに、このドライバは、複数の時変信号が入力され該当ビデオデータ（Ｖｉｄｅｏ  Ｄａｔａ）に対する階調電圧をスイッチングして選択するためのＭ−ｂｉｔスイッチング部２２０と、（Ｎ−Ｍ）−ｂｉｔパルス信号生成部２３０と、スイッチング部２２０の出力をパネルのソースラインに出力するチャネルバッファ部２４０と、を備える。ここで、ＮとＭは正の整数であり、Ｎ＞Ｍである。
【００１２】
スイッチング部２２０、パルス信号生成部２３０およびチャネルバッファ部２４０は、ドライバのチャネルブロックの中の一部構成であって、ドライバを構成するすべてのチャネルに各々備えられる。複数ＴＶＳ生成部２１０は各々のチャネルに共通に使用される。
【００１３】
図２Ｂは、複数の時変信号を用いたドライバの動作を説明するための概念図である。複数（ｍｕｌｔｉｐｌｅ）ＴＶＳ生成部２１０は、複数の時変信号２６０を生成する。複数個（２Ｍ個）の時変信号がすべての階調を領域別に分けて表現するため、各々の時変信号ごとに１−ライン時間の間、順次に２Ｎ−Ｍ個の階調を表現する。
【００１４】
時変信号２６０は、各チャネルのスイッチ部２２０の入力に印加される。パルス信号生成部２３０は、２Ｎ−Ｍ個のパルス信号２７０を生成する。スイッチング部２２０は、２Ｎ−Ｍ個のパルス信号のうち１個のパルス信号に応じてオン・オフすることによって、ＴＶＳの中で特定階調を選択する。スイッチング部２２０によって選択された階調電圧信号２８０は、チャネルバッファ部２４０を介してパネルのソースラインに伝達される。
【００１５】
複数の時変信号を用いることになると、パネル充電時間が２Ｍ倍の分だけ増加することになって、ピクセル間に印加された電圧の誤差を減ずることができ、２Ｍ倍遅れたクロック周波数を用いるため動的電力消費を減ずることができる。また、パルス信号生成部の回路が（Ｎ−Ｍ）−ｂｉｔに減少してチャネル面積を減ずることができる。
【００１６】
しかし、複数のフリップフロップからなるカウンタと幾個かの論理組合回路で構成されたパルス信号生成部がすべてのチャネルごとに含まれ、依然としてＤＡＣの面積が大きい。また、クロック信号に同期されたすべてのチャネルのパルス信号生成部が動作する時に発生する電力消費が依然として大きい。
【先行技術文献】
【特許文献】
【００１７】
【特許文献１】米国特許第５４４０２５６号明細書
【特許文献２】韓国登録特許７２７４１０号公報
【発明の概要】
【発明が解決しようとする課題】
【００１８】
本発明の目的は、従来技術の問題を解決するためのもので、画期的に小面積化が可能なディスプレイパネルの駆動装置および方法を提供することにある。
【００１９】
本発明の他の目的は、低電力消費が可能なディスプレイパネルの駆動装置および方法を提供することにある。
【００２０】
本発明のまた他の目的は、画質改善が容易なディスプレイパネルの駆動装置および方法を提供することにある。
【課題を解決するための手段】
【００２１】
前記目的を達成するための改善された駆動装置は、時変信号を生成する時変信号生成部と、複数のパルス信号を生成する共通パルス信号生成部と、前記時変信号と前記パルス信号、およびビデオデータが入力され該当ビデオデータに対する階調電圧を選択する選択部と、選択部の出力をバッファリングして伝達するバッファ部とを備え、前記選択部と前記バッファ部は、複数のチャネル内に各々備えられ、前記時変信号と前記パルス信号は、各チャネルの前記選択部に共通に入力されることを特徴とする。
【００２２】
好ましくは、前記時変信号生成部が、すべての階調電圧の範囲を複数個に分割し、分割された各電圧範囲に対応する複数個の時変信号を生成したり、すべての階調電圧の範囲を順次表現する単一の時変信号を生成することを特徴とする。
【００２３】
好ましくは、前記共通パルス信号生成部が、各パルス信号のオン・オフデューティ比を調節するレジスタを含むことを特徴とする。
【００２４】
また、本発明の１つは、複数の時変信号を生成する時変信号生成部と、複数のパルス信号を生成する共通パルス信号生成部と、サンプリングされたビデオデータを出力するサンプリング手段と、前記サンプリングされたビデオデータのうちの下位ビットデータに基づいて前記複数のパルス信号のうちから何れか１つを選択するパルス選択部と、前記サンプリングされたビデオデータのうちの上位ビットデータに基づいて前記複数の時変信号のうちから何れか１つを選択し、選択されたパルス信号のイネーブル区間で前記選択された時変信号をスイッチングして伝達する時変信号選択部と、を備えてもよい。また、デジタル／アナログ変換方法として、サンプリングされたビデオデータのうちの下位ビットデータに基づいて複数のパルス信号のうち何れか１つを選択するステップと、サンプリングされたビデオデータのうちの上位ビットデータに基づいて複数の時変信号のうち何れか１つを選択するステップと、選択されたパルス信号のイネーブル区間で選択された時変信号をスイッチングして伝達するステップと、を含んでもよい。
【発明の効果】
【００２５】
本発明は、チャネルごとにパルス信号生成器が存在するものとは異なり、すべてのチャネルがパルス信号生成器１個を共通に使用する。これによって面積とパルス信号生成器による電力消費を減ずることができる。一般的にデータドライバの大部分の面積と電力消費をＤＡＣが占めているため、本発明によってデータドライバの面積と電力消費を画期的に減ずることができる。
【００２６】
また本発明はパルス信号のオン・オフデューティ比（ｄｕｔｙ  ｒａｔｉｏ）を調節することができる。これによって各区間別に充電時間を適切に定めることができ、充電時間の不足による画質の低下問題を改善することができる。
【図面の簡単な説明】
【００２７】
【図１Ａ】単一時変信号を用いた従来技術によるドライバのブロック構成図である。
【図１Ｂ】単一時変信号を用いたドライバの動作を説明するための概念図である。
【図２Ａ】複数の時変信号を用いた従来技術によるドライバのブロック構成図である。
【図２Ｂ】複数の時変信号を用いたドライバの動作を説明するための概念図である。
【図３】本発明の第１実施形態による複数の時変信号生成部と共通パルス信号生成部を備えるドライバのブロック構成図である。
【図４】図３のドライバを適用した単位チャネルブロック構成図である。
【図５】図３の選択部をより詳細に示したブロック構成図である。
【図６】本発明に適用された共通パルス信号のオン・オフ（Ｏｎ／Ｏｆｆ）デューティ比（ｄｕｔｙ  ｒａｔｉｏ）を示したタイミングダイヤグラムである。
【図７】図３の共通パルス信号生成部のブロック構成図である。
【図８】本発明の第２実施形態による単一時変信号生成部と共通パルス信号生成部を利用したドライバのブロック構成図である。
【図９】図８のドライバを適用した単位チャネルブロック構成図である。
【図１０】図８の選択部をより詳細に示したブロック構成図である。
【図１１Ａ】本発明の第３実施形態により、各々図５および１０に図示されたドライバの選択部の変形例である。
【図１１Ｂ】本発明の第３実施形態により、各々図５および１０に図示されたドライバの選択部の変形例である。
【図１２】第４実施形態によるパルス信号の波形図である。
【発明を実施するための形態】
【００２８】
以下、本発明が属する技術分野で通常の知識を有する者が本発明の技術的思想を容易に実施できる程度に詳細に説明するために、本発明の多様な実施形態を、添付図面を参照して説明する。
【００２９】
以下、説明する実施形態は、ＬＣＤ（Ｌｉｑｕｉｄ  Ｃｒｙｓｔａｌ  Ｄｉｓｐｌａｙ）ドライバの面積およびパワー消費を減ずるために適用したことを提案しているが、ＦＥＤ（Ｆｉｅｌｄ  Ｅｍｉｓｓｉｏｎ  Ｄｉｓｐｌａｙ）、ＥＬＤ（Ｅｌｅｃｔｒｏ−Ｌｕｍｉｎｅｓｃｅｎｔ  Ｄｉｓｐｌａｙ）、ＰＤＰ（Ｐｌａｓｍａ  Ｄｉｓｐｌａｙ  Ｐａｎｅｌ）等平板ディスプレイ装置のドライバ全般にわたって応用可能である。
【００３０】
＜第１実施形態＞
図３は、複数の時変信号生成部および共通パルス信号生成部を備えるドライバの主要部分に対する構成図である。
【００３１】
図３を参照すれば、改善されたドライバは、複数個（２Ｍ個）の時変信号を生成する複数ＴＶＳ生成部３１０と、互いに異なるパルス幅を有する複数個（２Ｎ−Ｍ個）のパルス信号を生成する共通パルス信号生成部３３０と、複数の時変信号と複数のパルス信号、およびビデオデータＤ＜（Ｎ−１）：０＞が入力され該当ビデオデータに対する階調電圧を選択する選択部３２０と、選択部３２０の出力をパネルのソースラインに出力するチャネルバッファ部３４０と、を備えている。ここで、ＮとＭは正の整数であり、Ｎ＞Ｍである。複数個（２Ｍ個）の時変信号は、１−ライン時間の周期ごとにすべての階調電圧を１／２Ｍに分割し、各分割された階調電圧の範囲に対応して生成される。
【００３２】
選択部３２０およびチャネルバッファ部３４０は、単位チャネルブロック内部の構成であって、ドライバを構成するすべてのチャネルに各々備えられる。複数ＴＶＳ生成部３１０および共通パルス信号生成部３３０は、各々のチャネルに共通に使用される。すなわち、複数の時変信号と複数のパルス信号は、各チャネルの選択部３２０に共通に入力される。
【００３３】
図３に図示したように、改善されたドライバは、パルス信号生成部３３０がチャネル当たり１つずつ備えられるのではなく、すべてのチャネルに共通に使用する構成を有する。したがって、ＤＡＣおよびドライバのチップ面積を画期的に減ずることができる。
【００３４】
図４は、選択部（図３の「３２０」）を選択部以外の他の構成要素とともにより詳細に図示した構成図である。
【００３５】
図４を参照すれば、改善されたドライバは、Ｎ−ｂｉｔビデオデータ（Ｖｉｄｅｏ  Ｄａｔａ）をサンプリングするサンプリング手段４５０と、複数個（２Ｍ個）の時変信号を生成する複数ＴＶＳ生成部４１０と、互いに異なるパルス幅を有する複数個（２Ｎ−Ｍ個）のパルス信号を生成する共通パルス信号生成部４３０と、複数の時変信号と複数のパルス信号およびサンプリングされたビデオデータが入力され複数個の時変信号のうちから何れか１つを選択して出力する選択部４２０と、選択部４２０の出力をパネルのソースラインに出力するチャネルバッファ部４４０と、を備えている。
【００３６】
サンプリング手段４５０、選択部４２０、およびチャネルバッファ部４４０は、単位チャネルブロック内部の構成であって、ドライバを構成するすべてのチャネルに各々備えられる。複数ＴＶＳ生成部４１０および共通パルス信号生成部４３０は、各々のチャネルに共通に使用される。
【００３７】
選択部４２０は、サンプリングされたビデオデータの下位（Ｎ−Ｍ）−ｂｉｔに応じてパルス信号２Ｎ−Ｍ個のうちから１つを選択するパルス選択部４２２と、サンプリングされたビデオデータの上位Ｍ−ｂｉｔとパルス選択部４２２の出力パルス信号をレベルシフトするレベルシフター４２４と、レベルシフター４２４の出力に応じて時変信号２Ｍ個のうちから何れか１つを選択するＴＶＳ選択部４２６とで構成される。ここで、ＮとＭは正の整数であり、Ｎ＞Ｍである。
【００３８】
サンプリング手段４５０は、シフトレジスタ４５２とサンプル・ホールディングラッチ４５４を含む。シフトレジスタ４５２とサンプル・ホールディングラッチ４５４は、よく知られているため詳細な説明は省略する。
【００３９】
図５は、選択部４２０の細部構成図である。本実施形態において、ドライバは、２つの時変信号を用いており、６−ｂｉｔ  ＤＡＣを構成した実施形態（すなわち、Ｎ＝６、Ｍ＝１）である。
【００４０】
図５を参照すれば、パルス選択部４２２は、サンプリングされたビデオデータＤ＜５：０＞のうち下位５−ｂｉｔデータＤ＜４：０＞が入力され、３２個のパルス信号＜３１：０＞のうち１つを選択して出力する５−ｂｉｔデコーダ（Ｄｅｃｏｄｅｒ）として構成されうる。
【００４１】
ＴＶＳ選択部４２６は、レベルシフター（Ｌ／Ｓ）４２４を経た上位１−ｂｉｔデータＤ＜５＞によって２つの時変信号ＴＶＳ＜０＞、ＴＶＳ＜１＞のうちから１つを選択して出力する１−ｂｉｔデコーダ４２６Ａと、デコーダ４２６Ａの出力を、レベルシフター４２４を経たパルス信号のイネーブル（論理「ハイ」）区間にだけスイッチングによってチャネルバッファ部に伝達するスイッチ４２６Ｂとで構成される。
【００４２】
結局、全体階調値を２等分して各々表現するＴＶＳ＜０＞、ＴＶＳ＜１＞のうちから１つを選択するため、まず階調値の領域を選択し、パルス信号のパルス幅に応じて目標階調値を選択することになる。
【００４３】
上述したように、改善されたデジタルアナログ変換方法は、サンプリングされたビデオデータのうち下位ビットによって複数個のパルス信号のうちから何れか１つを選択するステップと、サンプリングされたビデオデータのうちで上位ビットによって複数の時変信号のうちから何れか１つを選択するステップと、選択されたパルス信号のイネーブル区間で選択された時変信号をスイッチングしてチャネルバッファ部に伝達するステップとで構成される。ここで、複数個（２Ｍ個）の時変信号は、１−ライン時間の周期ごとにすべての階調電圧を１／２Ｍに等分し、各等分された階調電圧範囲に対応して生成されたものである。複数個のパルス信号は、１−ライン時間の周期内でイネーブルされる区間（すなわち、パルス幅）が互いに異なる複数個（２Ｎ−Ｍ個）のパルス信号である。
【００４４】
図６は１−ライン時間の間、パルス信号Ｐｕｌｓｅ  ＜（２Ｎ−Ｍ−１）：０＞のオン・オフ（Ｏｎ／Ｏｆｆ）デューティ比（ｄｕｔｙ  ｒａｔｉｏ）を示したタイミングダイヤグラムである。
【００４５】
１−ライン時間は、複数個の区間（Ｔ１〜Ｔ（２Ｎ−Ｍ））に区分される。各区間は、該当階調電圧が到達するまでの時間を意味する。図６の実施形態で各パルス信号は、初期時点から該当階調電圧が到達する時までの時点までイネーブル（論理「ハイ」）される信号である。
【００４６】
ＴＶＳを用いたＤＡＣは、全体時間（すなわち、１−ライン時間）のうち初期区間（Ｔ１）に大きい幅の電圧を駆動しなければならないため、他の区間より充電時間がさらに必要である。また、初期区間（Ｔ１）以後には、チャネルバッファ部がパネルを十分に駆動する充電時間が必要である。もし、充電時間が不足した場合、オフセット（Ｏｆｆｓｅｔ）が発生して画質の低下問題を起こす。これを解決するために改善されたドライバのパルス信号生成部は、すべての区間に対して（Ｔ１〜Ｔ（２Ｎ−Ｍ））各区間別に時間を定めることができるようにした。
【００４７】
この時、ＴＶＳの時間にともなう電圧変化率もＴ１〜Ｔ（２Ｎ−Ｍ）区間に連動して変更される。これによって前記で言及した画質の低下問題を改善することができる。
【００４８】
図７は、パルス信号生成部４３０の構成図である。
【００４９】
図７を参照すれば、パルス信号生成部４３０は、カウンタ４３１、レジスタ４３２、加算器（Ａｄｄｅｒ）４３３、および２Ｎ−Ｍ個の比較器／フリップフロップ（Ｃｏｍｐａｒａｔｏｒ＆Ｆ／Ｆ）４３４で構成される。
【００５０】
カウンタ４３１は、クロック信号Ｃｌｏｃｋに同期され増加するカウント信号Ｃｎｔ＿Ｏｕｔを出力し、１−ライン時間ごとにリセット信号Ｒｅｓｅｔによってリセットされる。レジスタ４３２は、すべての区間に対して時間情報を有する信号Ｔ１〜Ｔ（２Ｎ−Ｍ）を保存している。加算器４３３は、レジスタ４３２から信号Ｔ１〜Ｔ（２Ｎ−Ｍ）を伝達されてパルス信号のＯＮ（＝ｈｉｇｈ）区間を決定するＰ１〜Ｐ（２Ｎ−Ｍ）の値を出力する。比較機（Ｃｏｍｐａｒａｔｏｒ）は、カウント信号Ｃｎｔ＿Ｏｕｔと信号Ｐ１〜Ｐ（２Ｎ−Ｍ）のうち１つの値と同じ場合にフラッグ信号を発生させてフリップフロップ（Ｆ／Ｆ）に伝達する。フリップフロップ（Ｆ／Ｆ）は、カウント信号Ｃｎｔ＿Ｏｕｔが「０」の場合にパルス信号をイネーブルさせ、フラッグ信号が発生する時にパルス信号をディセーブルさせる。これによってパルス信号Ｐｕｌｓｅ  ＜（２Ｎ−Ｍ−１）：０＞は生成され、パルス信号Ｐｕｌｓｅ  ＜（２Ｎ−Ｍ−１）：０＞のオン・オフ（Ｏｎ／Ｏｆｆ）デューティ比（ｄｕｔｙ  ｒａｔｉｏ）は調節される。
【００５１】
＜第２実施形態＞
先に説明した第１実施形態は、複数の時変信号を用いた場合であり、以下、説明する第２実施形態は、単一時変信号を用いる場合である。第２実施形態でも第１実施形態のように共通パルス信号生成器を用いる。この共通パルス信号生成器は、パルス信号のオン・オフデューティー比率を調節するレジスタを備えている。
【００５２】
図８は、単一時変信号生成部および共通パルス信号生成部を備えるドライバの主要部分に対する構成図である。
【００５３】
図８を参照すれば、改善されたドライバは、単一の時変信号を生成する単一ＴＶＳ生成部８１０と、互いに異なるパルス幅を有する複数個（２Ｎ個）のパルス信号を生成する共通パルス信号生成部８３０と、を備えている。さらに、このドライバは、単一の時変信号と複数のパルス信号、およびビデオデータＤ＜（Ｎ−１）：０＞が入力され該当ビデオデータに対する階調電圧を選択する選択部８２０と、選択部８２０の出力をパネルのソースラインに出力するチャネルバッファ部８４０と、を備えている。ここで、Ｎは正の整数である。単一の時変信号は、１−ライン時間の周期の間、すべての階調電圧に対応して生成される。
【００５４】
選択部８２０およびチャネルバッファ部８４０は、単位チャネルブロック内部の構成であって、ドライバを構成するすべてのチャネルに各々備えられている。単一ＴＶＳ生成部８１０および共通パルス信号生成部８３０は、各々のチャネルに共通に用いられる。
【００５５】
図９は、選択部（図８の「８２０」）を選択部以外の他の構成要素と共に、より詳細に図示した構成図である。
【００５６】
図９を参照すれば、改善されたドライバは、Ｎ−ｂｉｔビデオデータ（Ｖｉｄｅｏ  Ｄａｔａ）をサンプリングするサンプリング手段９５０と、単一の時変信号を生成する単一ＴＶＳ生成部９１０と、互いに異なるパルス幅を有する複数個（２Ｎ個）のパルス信号を生成する共通パルス信号生成部９３０と、単一の時変信号と複数のパルス信号およびサンプリングされたビデオデータが入力され時変信号に表現された階調値を選択して出力する選択部８２０と、選択部９２０の出力をパネルのソースラインに出力するチャネルバッファ部９４０と、を備えている。
【００５７】
サンプリング手段９５０、選択部９２０、およびチャネルバッファ部９４０は、単位チャネルブロック内部の構成であって、ドライバを構成するすべてのチャネルに各々備えられている。単一ＴＶＳ生成部９１０および共通パルス信号生成部９３０は、各々のチャネルに共通に使用される。
【００５８】
選択部９２０は、サンプリングされたビデオデータに応じてパルス信号２Ｎ個のうちから１つを選択するパルス選択部９２２と、パルス選択部から出力された信号（すなわち、選択されたパルス信号）をレベルシフトするレベルシフター９２４と、レベルシフター９２４の出力に応じて時変信号から目標階調値を選択するＴＶＳ選択部９２６とで構成されている。
【００５９】
サンプリング手段９５０は、シフトレジスタ９５２とサンプル・ホールディングラッチ９５４を含む。
【００６０】
図１０は、図９の選択部９２０の細部構成図である。図１０のドライバは、６−ｂｉｔ  ＤＡＣを構成した実施形態（すなわち、Ｎ＝６）である。
【００６１】
図１０を参照すれば、パルス選択部９２２は、サンプリングされた６−ｂｉｔビデオデータＤ＜５：０＞が入力され２６個のパルス信号＜６３：０＞のうちから１つを選択して出力するところ、６−ｂｉｔデコーダ（Ｄｅｃｏｄｅｒ）として構成されうる。
【００６２】
ＴＶＳ選択部９２６は、レベルシフター９２４を経た選択されたパルス信号のイネーブル（論理「ハイ」）区間にのみ時変信号をスイッチングしてチャネルバッファ部に伝達するスイッチで構成されうる。すなわちスイッチの出力は、選択されたパルス信号のパルス幅に応じて目標階調値を選択することになる。
【００６３】
ここで、第２実施形態で説明した共通パルス信号生成部８３０、９３０は、図６および図７によって先に説明したように、パルス信号のオン・オフデューティ比率を調節することができるように構成されうる。すなわち１−ライン時間の区間別に時間を定めることができるように、共通パルス信号生成部はレジスタを備え、初期区間および初期区間の以後で充電時間を確保できるようにすることができる。
【００６４】
上述したように、第２実施形態によるデジタルアナログ変換方法は、サンプリングされたビデオデータによって複数個のパルス信号のうちから何れか１つを選択するステップと、選択されたパルス信号のイネーブル区間で単一時変信号をスイッチングしてチャネルバッファ部に伝達するステップとで構成される。ここで、複数個のパルス信号は、１−ライン時間の周期内でイネーブルされる区間（すなわち、パルス幅）が互いに異なる複数個（２Ｎ−Ｍ個）のパルス信号である。
【００６５】
＜第３実施形態＞
先に説明した第１および第２実施形態は、目標階調値が「電圧のＴＶＳ」とパルス信号の幅によって決定されるものであるが、ここで説明する第３実施形態は、「電流のＴＶＳ」とパルス信号の幅によって目標階調値を決定するものであり、他の構成および動作は同一である。
【００６６】
図１１Ａは、図５に図示されたドライバの選択部の変形例を図示したものである。
【００６７】
図１１Ａを参照すれば、ＴＶＳ選択部４２６＿１は、１−ｂｉｔデコーダ４２６Ａ＿１と、電圧・電流変換部４２６Ｃと、スイッチ４２６Ｂ＿１と、を備えている。
【００６８】
１−ｂｉｔデコーダ４２６Ａ＿１は、レベルシフター（Ｌ／Ｓ）４２４を経た上位１−ｂｉｔデータＤ＜５＞によって２つの電圧時変信号ＴＶＳ＿Ｖ＜０＞、ＴＶＳ＿Ｖ＜１＞のうちから１つを選択して出力する。電圧・電流変換部４２６Ｃは、デコーダ４２６Ａ＿１の出力の電圧レベルの時変信号（ＴＶＳ＿Ｖ＜０＞  又はＴＶＳ＿Ｖ＜１＞）を電流レベルの時変信号（ＴＶＳ＿Ｉ＜０＞またはＴＶＳ＿Ｉ＜１＞）として生成する。スイッチ４２６Ｂ＿１は、電圧・電流変換部４２６Ｃの出力を、レベルシフター４２４を経た選択されたパルス信号のイネーブル（論理「ハイ」）区間にだけスイッチングしてチャネルバッファ部に伝達する。その他、他の構成要素は、図５に図示された対応される構成要素と実質的にその構成および動作が同一である。
【００６９】
これにより、チャネルバッファ部の入力電圧は、電流の大きさとパルス信号のパルス幅に応じて目標電圧まで増加することになる。
【００７０】
図１１Ａの実施形態によるデジタルアナログ変換方法は、サンプリングされたビデオデータのうち下位ビットによって複数個のパルス信号のうちから何れか１つを選択するステップと、サンプリングされたビデオデータのうちから上位ビットによって複数の電圧時変信号のうちから何れか１つを選択するステップと、選択された電圧時変信号を電流時変信号に変換するステップと、選択されたパルス信号のイネーブル区間で電流時変信号をスイッチングし、当該電流時変信号をチャネルバッファ部に伝達するステップで構成される。
【００７１】
図１１Ｂは、図１０に図示されたドライバの選択部の変形例を図示したものである。
【００７２】
図１１Ｂを参照すれば、ＴＶＳ選択部９２６＿１は、入力される電圧レベルの単一の時変信号ＴＶＳ＿Ｖを電流レベルの時変信号ＴＶＳ＿Ｉとして生成する電圧・電流変換部９２６Ａと、電圧・電流変換部９２６Ａの出力を、レベルシフター９２４を経た選択されたパルス信号のイネーブル（論理「ハイ」）区間にだけスイッチングしてチャネルバッファ部に伝達するスイッチ９２６Ｂとで構成されている。その他、他の構成要素は、図１０に図示された対応される構成要素と実質的に同一の構成および動作を有する。
【００７３】
図１１Ｂの実施形態によるデジタルアナログ変換方法は、サンプリングされたビデオデータによって複数個のパルス信号のうちから何れか１つを選択するステップと、単一の電圧時変信号を電流時変信号に変換するステップと、選択されたパルス信号のイネーブル区間で電流時変信号をスイッチングしてチャネルバッファ部に伝達するステップとで構成される。
【００７４】
＜第４実施形態＞
図１２は、本発明の実施形態（第１〜第３実施形態）に適用されうるパルス信号の他の形態に対する波形図であって、共通パルス信号生成部で複数個のパルス信号Ｐｕｌｓｅ  ＜（２Ｎ−Ｍ−１）：０＞を生成するにおいて、各パルス信号の「ハイ」区間が異なるパルス信号と重ならないようにすることができることを表している。すなわち、１−ライン時間の間の各区間（Ｔ１〜Ｔ（２Ｎ−Ｍ）でのみパルス信号がイネーブルされるように構成することができる。言い換えれば図６に図示されたパルス信号とは異なり、パルス信号は、該当階調電圧が到達する特定区間でのみイネーブルされうる。
【００７５】
本発明の技術思想は、実施形態によって具体的に記述されたが、前記した実施形態はその説明のためのものであり、その制限のためのものでないことに注意しなければならない。また、本発明の技術分野の通常の専門家ならば本発明の技術思想の範囲内でまた他の多様な実施形態が可能であることを理解できるものであろう。
【符号の説明】
【００７６】
３１０  複数ＴＶＳ生成部
３３０  共通パルス信号生成部
３２０  選択部
３４０  チャネルバッファ部
４１０  複数ＴＶＳ生成部
４２０  選択部
４３０  共通パルス信号生成部
４４０  チャネルバッファ部
４５０  サンプリング手段
４２２  パルス選択部
４２４  レベルシフター
４２６  ＴＶＳ選択部
８１０  単一ＴＶＳ生成部
８３０  共通パルス信号生成部
８２０  選択部
８４０  チャネルバッファ部
９１０  単一ＴＶＳ生成部
９２０  選択部
９３０  共通パルス信号生成部
９４０  チャネルバッファ部
９５０  サンプリング手段
【図１Ａ】
2011065156.tif 000003
【図１Ｂ】
2011065156.tif 000004
【図２Ａ】
2011065156.tif 000005
【図２Ｂ】
2011065156.tif 000006
【図３】
2011065156.tif 000007
【図４】
2011065156.tif 000008
【図５】
2011065156.tif 000009
【図６】
2011065156.tif 000010
【図７】
2011065156.tif 000011
【図８】
2011065156.tif 000012
【図９】
2011065156.tif 000013
【図１０】
2011065156.tif 000014
【図１１Ａ】
2011065156.tif 000015
【図１１Ｂ】
2011065156.tif 000016
【図１２】
2011065156.tif 000017